(57)【特許請求の範囲】
【請求項１】
通信網を介して通信を行う情報端末装置であって、
電子機器との間で近距離無線通信を実施する近距離無線通信手段と、
前記電子機器との前記近距離無線通信の切断の検出を行う切断検出手段と、
前記切断検出手段が、前記電子機器との前記近距離無線通信が切断されていると認識した場合、前記通信網を介した着信情報を保存する保存手段と、
前記電子機器との前記近距離無線通信の復旧の検出を行う復旧検出手段と、
前記復旧検出手段が前記近距離無線通信の復旧を検出した場合、前記近距離無線通信の切断の間に前記保存手段が保存した前記通信網を介した着信情報の有無を判断する情報有無確認手段と、
前記情報有無確認手段が、前記保存手段により前記通信網を介した着信情報が保存されていると判断した場合には、前記通信網を介した着信情報を前記近距離無線通信手段によって前記電子機器に送信する制御手段とを有する、情報端末装置。
【請求項２】
前記制御手段は、前記電子機器との前記近距離無線通信の復旧の際に前記通信網を介した通信が続行中であった場合、前記続行中の旨と、前記保存手段によって保存された前記通信網を介した着信情報を前記近距離無線通信手段によって前記電子機器に送信することを特徴とする、請求項１に記載の情報端末装置。
【請求項３】
通信網を介して通信を行うとともに電子機器との間で近距離無線通信を実施する機能を有する情報端末装置の制御方法であって、
前記電子機器との前記近距離無線通信の切断を検出する検出段階と、
前記検出段階で、前記電子機器との前記近距離無線通信が切断されていると認識された場合、前記通信網を介した着信情報を保存する保存段階と、
前記電子機器との前記近距離無線通信の復旧を検出する復旧検出段階と、
前記復旧検出段階にて前記近距離無線通信の復旧が検出された場合、前記近距離無線通信の切断の間に前記保存段階で保存された前記通信網を介した着信情報の有無を判断する情報有無確認段階と、
前記情報有無確認段階にて、前記保存段階で前記通信網を介した着信情報が保存されていると判断した場合には、前記通信網を介した着信情報を前記近距離無線通信によって前記電子機器に送信する制御段階とを有する、情報端末装置の制御方法。
【請求項４】
前記制御段階では、前記電子機器との前記近距離無線通信の復旧の際に前記通信網を介した通信が続行中であった場合、前記続行中の旨と、前記保存段階で保存された前記通信網を介した着信情報を前記近距離無線通信によって前記電子機器に送信することを特徴とする、請求項３に記載の情報端末装置の制御方法。
【請求項５】
通信網を介して通信を行うとともに電子機器との間で近距離無線通信を実施する機能を有する情報端末装置の制御方法をコンピュータに実行させるプログラムであって、
前記電子機器との前記近距離無線通信の切断を検出する検出段階と、
前記検出段階で、前記電子機器との前記近距離無線通信が切断されていると認識された場合、前記通信網を介した着信情報を保存する保存段階と、
前記電子機器との前記近距離無線通信の復旧を検出する復旧検出段階と、
前記復旧検出段階にて前記近距離無線通信の復旧が検出された場合、前記近距離無線通信の切断の間に前記保存段階で保存された前記通信網を介した着信情報の有無を判断する情報有無確認段階と、
前記情報有無確認段階にて、前記保存段階で前記通信網を介した着信情報が保存されていると判断した場合には、前記通信網を介した着信情報を前記近距離無線通信によって前記電子機器に送信する制御段階とをコンピュータに実行させる命令を有するプログラム。
【発明の詳細な説明】
【技術分野】
【０００１】
本発明は情報端末装置、その制御方法及びプログラムに係り、特に近距離無線通信で電子機器に接続可能な構成を有する情報端末装置、その制御方法及びプログラムに関する。
【背景技術】
【０００２】
情報端末装置としての携帯電話機等を、近距離無線通信により電子機器に接続することでユーザの利便性の向上を図るための技術が提案されている。
【０００３】
たとえば携帯電話機と腕時計との間を周知の近距離無線通信規格ブルートゥース（Bluetooth）による近距離無線通信で接続し、携帯電話機の着信時に腕時計に設けた振動アクチュエータを作動させることで当該着信を確実にユーザに知らせる技術が提案されている（特許文献１）。
【０００４】
また携帯電話機と腕時計型情報機器との間をブルートゥースによる近距離無線通信で接続し、腕時計型電子機器を介して携帯電話機の着信をユーザに告知するとともに、ユーザの指示に基づいて予め記憶している音声メッセージを当該携帯電話機に送信する技術が提案されている（特許文献２）。
【０００５】
さらに移動通信端末と電子機器とが近距離無線通信で接続され、移動通信端末から当該電子機器に対し音声データ、メールデータまたは着信履歴を送信し、ユーザが電子機器上でそれらの情報を確認できるようにする技術が提案されている（特許文献３）。
【０００６】
このように携帯電話機等と電子機器との間を近距離無線通信で接続し、携帯電話機等の着信時にユーザが実際に携帯電話機等自体を手に取ることなく電話の着信の有無、発信者名あるいはその電話番号等を認識し得るように電子機器に対して着信の情報を通知する構成はユーザにとって便利である。
【０００７】
しかしながら何らかの原因により上記近距離無線通信が途絶えた場合には必要な情報が携帯電話機等から送信されず、不便が生じ得る。
【特許文献１】特開２００３−８７８６４号公報
【特許文献２】特開２００３−３３０４７３号公報
【特許文献３】特開２００５−１９２０４１号公報
【特許文献４】特開２０００−２９５３２１号公報
【特許文献５】特開２００２−２２３４７５号公報
【発明の開示】
【発明が解決しようとする課題】
【０００８】
本発明は上記問題点に鑑みてなされたものであり、通信網による通信機能を有する情報端末装置が近距離無線通信により電子機器と接続される環境において、当該近距離無線通信が何らかの原因により途絶えた場合であっても、その間に生じた前記通信網による通信に関する情報が電子機器にて適宜得られる構成を提供することを目的とする。
【課題を解決するための手段】
【０００９】
上記目的の達成のため本発明では、電子機器との近距離無線通信の切断時、前記通信網を介した通信に関する情報を保存し、さらに電子機器との前記近距離無線通信の復旧の際、前記通信網を介した通信に関する情報が保存されていた場合には、当該通信網を介した通信に関する情報を前記近距離無線通信によって前記電子機器に送信するようにした。
【００１０】
その結果、何らかの原因で情報端末装置と電子機器との間の近距離無線通信が途絶えた場合であっても、その間に情報端末装置が通信網による通信の結果得た情報は確実に保存され、かつ、近距離無線通信復旧の際には当該保存情報が電子機器に対して送信される。このため、ユーザは近距離無線通信が途絶えた間に取得された情報を含め、情報端末装置が通信網を介して取得した情報を漏れなく得ることが可能となる。
【発明の効果】
【００１１】
このように本発明によれば何らかの原因で近距離無線通信が途絶えたような場合であっても、当該近距離無線通信が途絶えた間に取得された情報を含め、情報端末装置が通信網を介して取得した情報を漏れなく取得可能となる。このため、ユーザは近距離無線通信の通信状況に対し特に注意を払うことなく、すべての情報を漏れなく取得可能となり、非常に便利である。
【発明を実施するための最良の形態】
【００１２】
以下、本発明の実施例につき、詳細に説明する。
【００１３】
上記のごとく携帯電話機と電子機器とをブルートゥース等の周知の近距離無線通信規格による近距離無線通信で接続する環境を提供することにより、携帯電話機の着信に係る発信者の情報、たとえば、発信者の電話番号、名前等を近距離無線通信で電子機器に送信させることにより、ユーザは携帯電話機の実際に携帯電話機を手に取ることなく、電子機器の画面上にこれらの情報を表示させることが可能となる。
【００１４】
しかしながらこの近距離無線通信が何らかの原因で切断された場合、その間に携帯電話機が着信した際の情報、履歴等（以下総称して「着信情報」とも称する）が得られない場合、不便が生じ得る。
【００１５】
本発明の実施例では近距離無線通信の切断後の復旧の際、携帯電話機がその間に保持した着信情報、即ち、発信者の電話番号、電話帳に登録済みの場合はその発信者名、着信時刻等を、近距離無線通信により電子機器に自動的に送信させる構成を設けた。その結果近距離無線通信の切断中に携帯電話機が受けた着信情報を電子機器で見ることが可能となり、利便性の向上が図り得る。
【００１６】
また本発明の実施例では近距離無線通信の切断後の復旧の際、携帯電話機が電話の着信を受けている場合には、携帯電話機から電子機器に対し、現在着信している旨と、その発信者の電話番号、電話帳に登録済みの場合にはその発信者名、着信時刻等を、自動的に通知させる構成とした。その結果近距離無線通信の切断中に着信があった場合であってその着信中に近距離無線通信が復旧した場合、電子機器上で近距離無線通信切断の間の携帯電話機における着信の有無、着信があった場合にはその発信者の電話番号、電話帳に登録済みであればその発信者名、着信時刻等を表示させることが可能となり、利便性の向上を図り得る。
【００１７】
すなわち携帯電話機と電子機器との間を近距離無線通信で接続する環境において、ユーザが携帯電話機を携帯している状況、ユーザが電子機器を装着（電子機器が腕時計型電子機器であった場合等）している状況等によっては、近距離無線通信が切断される可能性がある。その間携帯電話機に電話着信があった場合にその着信が電子機器に通知されないとしたらユーザーは着信があった事実を認識できないことが考えられ、不便が生じ得る。
【００１８】
しかしながら本発明の実施例によれば上記のごとく近距離無線通信の復旧の際、近距離無線通信の切断の間の着信履歴、たとえば、発信者の電話番号、電話帳に登録済みの場合にはその発信者名、着信時刻等が近距離無線通信により電子機器に自動的にを通知される。したがってユーザは近距離無線通信の切断時の着信履歴等の情報を、実際に携帯電話機を手に取ることなく、電子機器上で確認可能となり、便利である。
【００１９】
またたとえば携帯電話機と電子機器との間の近距離無線通信が瞬断する場合を想定すると、瞬断の間に生じた電話着信も着信履歴として電子機器に通知される。このように近距離無線通信の切断中も含め携帯電話機におけるすべての着信履歴が電子機器に通知されるためユーザは特に近距離無線通信の状況を常に気にする必要がなくなる。
【００２０】
特に、携帯電話機と近距離無線通信でつながれる電子機器が腕時計型電子機器等、ユーザの身体に装着する構成のものであった場合、ユーザの移動にしたがって一時的に電波が遮られる状況となり得る。そのような場面でも本発明の実施例の構成によればその後電波の受信状態が回復して近距離無線通信が復旧すれば、その間の携帯電話機の着信履歴が全て電子機器に通知される。したがって非常に便利である。
【００２１】
さらに本発明の実施例によれば、近距離無線通信の切断中に携帯電話機に電話着信があった場合でありかつその着信中に近距離無線通信が即座に復旧した場合、携帯電話機から電子機器に対し近距離無線通信により、現在着信している旨が自動的に通知される。さらにその着信に係る発信者の電話番号、電話帳に登録済みであればその発信者名、着信時刻等も通知される構成とすることが可能である。このため近距離無線通信の切断時に着信があり着信中に近距離無線通信が復旧すれば、ユーザは携帯電話機を実際に手に取ることなく、電子機器の画面上に発信者の電話番号あるいはその発信者名、着信時刻等を確認し得る。あるいは当該電子機器の鳴動、振動等によりユーザは着信を知り得るため非常に便利である。
【００２２】
その結果、たとえば携帯電話機と電子機器との間の近距離無線通信が瞬断した間に受けた電話着信であっても、近距離無線通信の復旧の際にその着信中の状態が継続していればその着信中の旨が近距離無線通信により電子機器に自動的に通知される。このように着信時に近距離無線通信が有効な状態に限られず、着信中に一度でも近距離無線通信が有効となるような状況であれば、その間に着信の旨の情報とその発信者の情報が電子機器に自動的に通知される。このためユーザは、電波状態が悪く近距離無線通信の有効な時間が継続し得ないような状況であっても、着信の発生をタイムリーに察知可能となる。ユーザはそのような場合、当該着信に係る通話を実行しようと思えば自己の判断において近距離無線通信の状況の良い場所に移動して通話を行う等の手段を適宜講じることが可能となり、非常に便利である。
【００２３】
図１は本発明の一実施例による携帯電話機１０と、当該携帯電話機１０とブルートゥース等の周知の規格による近距離無線通信で結ばれる電子機器としての腕時計型電子機器２０との機能を説明するための内部ブロック図である。
【００２４】
図示のごとく、本発明の実施例による携帯電話機１０は、腕時計型電子機器２０との近距離無線通信を実施するための近距離無線通信部１２と、アンテナ１６及び公衆網通信部１１を介して電話の着信を受け、その着信の情報を近距離無線通信を用いて腕時計型電子機器２０に自動的に通知する機能を有する制御部１３とを備える。その結果ユーザは携帯電話機１０の着信時、実際に携帯電話機１０を手に取ることなく、自己が装着している腕時計型電子機器２０により当該着信の事実及びその着信情報を知り得る。
【００２５】
さらに携帯電話機１０は、何らかの原因で近距離無線通信部１２による近距離無線通信が切断された間に当該携帯電話機１０への着信があれば、その着信情報を保存するデータベース１４を有する。また制御部１３は、近距離無線通信が復旧した際、それまでの切断の間の着信に係る着信情報を腕時計型電子機器２０に通知する動作を自動的に実行する機能を有する。
【００２６】
また制御部１３は、近距離無線通信部１２による近距離無線通信が切断された間に生じた当該携帯電話機１０の着信中に近距離無線通信が復旧した場合、その着信の旨と、当該着信に係る発信者電話番号、電話帳に登録済みの場合にはその発信者名、着信時刻等の着信情報を、腕時計型電子機器２０に通知する動作を自動的に実行する機能をも有することが望ましい。この際の構成は本発明の第２実施例として後述する。
【００２７】
携帯電話機１０はさらに上記公衆網通信部１１を有する。これはアンテナ１６を介し、公衆通信網と接続する機能を有し、当該携帯電話機１０による発着信の通信を行う機能を有する。
【００２８】
また上記近距離無線通信部１２は、腕時計型電子機器２０内の近距離無線通信部２１と協働し、それぞれのアンテナ１７，２５を介し、当該携帯電話機１０と腕時計型電子機器２０との間の近距離無線通信による接続環境を実現する機能を有する。
【００２９】
また上記制御部１３は、電話の着信時にその着信の情報を近距離無線通信を用いて腕時計型電子機器２０に通知する動作を実行する。そして近距離無線通信が切断されていることが近距離無線通信部１２によって検出された場合、その着信情報をデータベース１４に保存する動作を実行する。そして近距離無線通信が復旧した際、その切断の間の着信履歴、現在着信している旨の情報（第２実施例の場合）等を近距離無線通信部１２を介して腕時計型電子機器２０に通知する動作を実行する。
【００３０】
上記データベース１４は当該携帯電話機１０の着信履歴等を保存する機能を有する。
【００３１】
また携帯電話機１０はプログラム格納部１７を有する。これはROM、またはSDカード等の可搬式記録媒体とされる。制御部１３に含まれるCPUがプログラム格納部１７に格納された制御プログラムをメモリにロード後にその命令を順次実行することにより、図２乃至６とともに後述する携帯電話機１０における制御動作が実現される。同様なプログラム格納部が腕時計型電子機器２０にも備えられており、制御部２２に含まれるCPUがそのプログラム格納部に格納された制御プログラムの命令を順次実行することにより、同じく後述する腕時計型電子機器２０の動作が実現される。
【００３２】
腕時計型電子機器２０は近距離無線通信部２１，制御部２２，表示部２３及び鳴動部２４を有する。
【００３３】
近距離無線通信部２１は携帯電話機１０との近距離無線通信環境を提供する。制御部２２は近距離無線通信部２１から受信した携帯電話機１０の着信情報を表示部２３に表示する動作を実行する。
【００３４】
表示部２３は制御部２２からこの着信情報を受信するとこれを画面上に表示する。鳴動部２４は制御部２２が着信情報を受けると、制御部の制御により鳴動動作（あるいは振動動作）を実行する。この鳴動動作（あるいは振動動作）とは、着信音の発生、振動アクチュエータによる振動の発生等を指す。
【００３５】
なお、携帯電話機１０の公衆網通信部１１は既存の携帯電話機における周知の構成をそのまま適用可能であり、ここでの説明を省略する。さらに携帯電話機１０および腕時計型電子機器２０における近距離無線通信部１２，２１も、周知のブルートゥース規格等にしたがった技術をそのまま適用可能であり、ここでの説明を省略する。
【００３６】
また本発明の実施例による携帯電話機１０の制御部１３が、近距離無線通信部１２による近距離無線通信の切断時にデータベース１４に保存し、近距離無線通信の復旧の際に自動的に腕時計型電子機器２０にその保存内容を通知する動作を起動する対象は通話の着信情報等に限られない。それ以外にも電子メールの着信情報等、当該携帯電話機１０が受信するすべての情報を対象とし得る。
【００３７】
また携帯電話機１０と近距離無線通信で接続される相手側の電子機器は腕時計型電子機器２０、近距離無線通信機能を有する腕時計等のユーザが身体に装着する形態の電子機器に限られない。パーソナルコンピュータ、テレビ受像器等、近距離無線通信機能を備えたあらゆる電子機器を対象とすることが可能である。
【００３８】
以下、このような構成の携帯電話機１０及び腕時計型電子機器２０の動作につき、図２乃至６とともに詳細に説明する。
【００３９】
先ず、図２及び図３とともに、本発明の第１実施例による携帯電話機１０における動作について説明する。
【００４０】
何らかの原因で腕時計型電子機器２０との間の近距離無線通信が切断されたことを検出した場合（ステップS1）,近距離無線通信部１２はその旨を制御部１３に通知する（ステップS２）。これを受けた制御部１３は、その内容をデータベース１４に転送する（ステップS３）。データベース１４はこれを受け、近距離無線通信の切断の旨を保存する（ステップS4）。
【００４１】
当該携帯電話機１０に対し外部から着信があった場合、公衆網通信部１１はこれを検出する（ステップS５）。そして公衆網通信部１１はその旨を制御部１３へ通知する（ステップS６）。制御部１３はこれを受け、データベース１４に対し、近距離無線通信の切断の有無につき、データベース１４の保存内容を参照する（ステップS７）。
【００４２】
制御部１３はデータベース１４の保存内容から近距離無線通信が切断されていることを認識すると、公衆網通信部１１から着信情報を受け、同情報をデータベース１４へ送信する（ステップS８）。データベース１４は送信された着信情報を保存する（ステップS９）。
【００４３】
その後切断された近距離無線通信が復旧すると、近距離無線通信部１２がこれを検出する（ステップS１０）。そして近距離無線通信部１２はその旨を制御部１３へ通知する（ステップS１１）。制御部１３はこれを受け、近距離無線通信の切断の間の着信情報の有無及びその内容につき、データベース１４を参照する（ステップS１２）。
【００４４】
データベース１４の参照の結果近距離無線通信切断中に着信があったことが判明すれば、制御部１３はその着信情報を読み出す（ステップS１３）。制御部１３は読み出した着信情報を近距離無線通信部１２に転送する（ステップS１４）。近距離無線通信部１２は転送された着信情報を近距離無線通信により腕時計型電子機器２０に送信する（ステップS１５）。
【００４５】
この着信情報の送信を受けた腕時計型電子機器２０の近距離無線通信部２１はその内容を制御部２２に通知する（ステップS１６）。制御部２２ではこれを受けて表示部２３及び鳴動部２４を制御し（ステップS１７）、表示部２３の画面に着信情報を表示する。また制御部２２は鳴動部２４の機能により、着信音の発生または腕時計型電子機器２０を振動させる等行い、着信情報が受信されたことをユーザに知らせる（ステップS１８）。
【００４６】
なお、この場合、近距離無線通信の切断中に携帯電話機１０の公衆網通信部１１で複数の着信を受けた場合には以下のごとくの動作がなされる。すなわち、たとえば近距離無線通信切断中にさらに２つの着信がなされた場合、ステップS５乃至S９の動作が、その着信ごとに繰り返される。その間、それらの着信情報がデータベース１４に保存される。このように保存された着信情報についても近距離無線通信復旧後にステップS１２乃至S１８の動作において自動的に携帯電話機１０のデータベース１４から読み出されて近距離無線通信により腕時計型電子機器２０の転送され、そこで表示される。
【００４７】
したがってユーザは携帯電話機１０を実際に手に取ることなく、近距離無線通信の切断中の着信について、その着信の有無を認識できるとともに、その着信情報の内容を認識し得る。ユーザはその内容によって、当該着信に係る発信者に対し携帯電話機１０により連絡を取る等、必要な対処を行い得る。
【００４８】
次に図４乃至６とともに、本発明の第２実施例による携帯電話機１０における動作について説明する。
【００４９】
なお図２乃至３とともに上述の本発明の第１実施例による動作と以下に説明する第２実施例による動作とは、一の携帯電話機１０において、その状況に応じて切り替えられて実行されるように構成し得る。すなわち近距離無線通信の切断中の着信が近距離無線通信の復旧時まで継続した場合には第２実施例の動作を行うものとし、近距離無線通信の切断中の着信が近距離無線通信の復旧時まで継続しなかった場合には第１実施例の動作を行うものするような構成とすることが可能である。
【００５０】
あるいは第１実施例による動作または第２実施例による動作のいずれかのみのを実行する構成とすることも可能である。
【００５１】
図４中、何らかの原因で腕時計型電子機器２０との間の近距離無線通信が切断されたことを検出した場合（ステップS３1）,近距離無線通信部１２はその旨を制御部１３に通知する（ステップS３２）。これを受けた制御部１３は、その内容をデータベース１４に転送する（ステップS３３）。データベース１４はこれを受け、近距離無線通信の切断の旨を保存する（ステップS３4）。
【００５２】
当該携帯電話機１０に対し外部から着信があった場合、公衆網通信部１１はこれを検出する（ステップS３５）。そして公衆網通信部１１はその旨を制御部１３へ通知する（ステップS３６）。また公衆網通信部１１はその後も、当該着信が継続している場合には、その旨の情報を引き続き継続して制御部１３に送信する。制御部１３はこれを受け、データベース１４に対し、近距離無線通信の切断の有無につき、データベース１４の保存内容を参照する（ステップS３７）。
【００５３】
制御部１３はデータベース１４の保存内容から近距離無線通信が切断されていることを認識すると公衆網通信部１１から着信情報を受け、データベース１４へ送信する（ステップS３８）。データベース１４は送信された着信情報を保存する（ステップS３９）。
【００５４】
その後近距離無線通信が復旧すると、近距離無線通信部１２がこれを検出する（ステップS４０）。そして近距離無線通信部１２はその旨を制御部１３へ通知する（ステップS４１）。制御部１３はこれを受け、近距離無線通信の切断の間の着信情報の有無及びその内容につき、データベース１４を参照する（ステップS４２）。
【００５５】
データベース１４の参照の結果近距離無線通信切断中の着信情報があれば、制御部１３はこれを読み出し近距離無線通信部１２に転送する（ステップS４３）。また制御部１３は、公衆網通信部１１から現在も着信中である旨の信号が得られた場合、その内容を併せて近距離無線通信部１２に転送する。近距離無線通信部１２は転送された着信情報及び着信中である旨の情報を近距離無線通信により腕時計型電子機器２０に送信する（ステップS４４）。
【００５６】
この着信情報及び着信中である旨の情報の送信を受けた腕時計型電子機器２０の近距離無線通信部２１はその内容を制御部２２に通知する（ステップS４５）。制御部２２ではこれを受けて表示部２３及び鳴動部２４を制御し（ステップS４６）、表示部２３の画面上で着信情報及び着信中である旨の情報を表示する（ステップS４７）。また鳴動部２４の機能により、着信音の発生または腕時計型電子機器２０を振動させる等により着信情報及び着信中である旨の情報が受信されたことをユーザに知らせる（ステップS４８）。
【００５７】
したがってユーザは携帯電話機１０を実際に手に取ることなく、近距離無線通信の切断中の着信情報あるいは現在着信中である旨の情報を得ることができる。ユーザはその内容によって、必要に応じて実際に携帯電話機１０を手にとって着信を受ける等、必要な対応を行い得る。
【００５８】
次に、上述の本発明の実施例による携帯電話機１０による近距離無線通信による、上記腕時計型電子機器２０等、他の電子機器との接続の方法について説明する。
【００５９】
なおここで携帯電話機１０は、その近距離無線通信部１２の機能により、アンテナ１７を通じて送受信される無線信号、たとえば、ブルートゥース規格等による電磁波、その他の通信規格による伝送媒体により、接続先である腕時計型電子機器２０等の電子機器１、２、３・・・、Ｎと無線通信により接続され得る構成を有する。
【００６０】
最初に近距離無線通信の相手先機器登録の方法につき説明を行う。
【００６１】
携帯電話機１０に対し、たとえば近距離無線通信の相手先の電子機器１、２、３の登録を行う場合、携帯電話機１０のユーザインタフェース（以下単にUIと略称する）上でユーザによる電子機器登録の操作がなされる。その操作内容に基づいて制御部１３は近距離無線通信部１２を動作させ、近距離無線通信部１２から無線信号を送出させ、周辺に存在する電子機器１、２、３・・・Ｎの検索を行う。
【００６２】
この検索は、電子機器１〜Ｎからの応答信号を受けることによりその存在を確認することによりなされる。この結果、接続先である電子機器としてたとえば、電子機器１、２、３が検索された場合、近距離無線通信部１２から制御部１３に対し、各電子機器１、２、３の近距離無線通信の機器アドレスを通知する。通知を受けた制御部１３は各電子機器１、２、３を表す機器のアドレスをＵＩ１５上に表示する。これを見てユーザーが機器登録の指示を行うことでデータベース１４の機器登録部に当該近距離無線通信対象電子機器が登録される。
【００６３】
次に近距離無線通信の相手先機器との接続の方法につき説明を行う。
【００６４】
まず自動接続の方法を説明する。この場合制御部１３はデータベース１４の機器登録部に登録されている機器アドレスを読出し、近距離無線通信部１２を動作させ、その機器アドレスに対応する電子機器１〜Ｎに対して定期的に近距離無線通信によって自動的に呼出しをかける動作を行う。これに対し相手機器が応答すれば、近距離無線通信部１２がその機器と接続される。
【００６５】
次に手動接続の方法を述べる。この場合、ユーザが携帯電話機１０のＵＩ１５上で、手動接続する指示を行う。その結果ＵＩ１５から制御部１３にその旨が伝達される。制御部１３はこれを受けてデータベース１４に機器登録されている機器のアドレスを読み出す。このようにして制御部１３は予め機器登録されている機器をＵＩ１５上に表示する。ユーザはＵＩ１５上でそれら予め登録されている機器から所望の機器を選択する操作を行う。これを受けた制御部１３は近距離無線通信部１２を動作させ、その機器アドレスに対応する機器に対して近距離無線通信によって、自動的に呼出しをかける動作を行う。その結果相手機器が応答すれば、近距離無線通信部１２がその機器と接続される。
【００６６】
次に近距離無線通信の相手機器との切断の方法につき述べる。
【００６７】
まず自動的に切断される場合（この場合を「自動切断」と称する）を述べる。携帯電話機１０の近距離無線通信部１２でアンテナ１７を介して受信される信号受信レベルが弱くなり、通信できない状態となると、近距離無線通信部１２はこれを検出し、自動的に通信を切断する。
【００６８】
次に手動で切断する場合（すなわちユーザの操作による切断であり、「手動切断」と称する）を述べる。ユーザが携帯電話機１０のＵＩ１５上で、手動切断する操作を行う。これを受けた制御部１３はデータベース１４を参照することにより接続中の機器のアドレスを得る。そして接続中の機器のアドレスをUI１５上に表示する。ユーザはこれを見て、手動切断したい機器を選択する。これを受けた制御部１３は近距離無線通信部を動作させ、その機器アドレスに対応する機器に対する近距離無線通信を切断する。
【００６９】
次に上述の本発明の実施例による携帯電話機１０の機能が有効に活かされる利用シーンの例につき説明する。
【００７０】
ここで携帯電話機１０において、電話の着信時、近距離無線通信により、ユーザが身体に装着した腕時計型電子機器２０で当該電話の着信、発信者の情報、たとえば、発信者の電話番号、電話帳に登録済みであればその発信者名が表示される設定があらかじめなされている場合を想定する。
【００７１】
第１の例では、ユーザが会社にて、携帯電話機１０を鞄の中に入れたまま作業している場合を想定する。そしてユーザが別作業等を行うため一時的に携帯電話機１０を格納している鞄から離れした場合、近距離無線通信の通信能力を超える距離となったことにより携帯電話機１０と腕時計型電子機器２０との近距離無線通信が切断される。したがってその間に携帯電話機１０に対し電話着信があっても、その段階でユーザは電話着信があったことを知り得ない。
【００７２】
その後ユーザは自己の鞄の近くに戻ると、近距離無線通信の通信能力内の距離となったことにより、携帯電話機１０とユーザが装着している腕時計型電子機器２０との間の近距離無線通信が自動的に復旧する。その結果上記本発明の実施例の機能により腕時計型電子機器２０に対し携帯電話機１０から電話着信があった旨、発信者の情報、たとえば発信者の電話番号、発信者名等が通知され、その内容が腕時計型電子機器２０上に表示される。したがってユーザは当該着信の事実及び着信情報を確実に取得できる。
【００７３】
第２の例では、ユーザが会社にて、携帯電話機２０を鞄の中に入れたまま作業している際、何らかの理由により、一時的に携帯電話機１０と腕時計型電子機器２０との近距離無線通信が瞬断した場面を想定する。その間に携帯電話機１０に対し電話着信があった場合、近距離無線通信の復旧した際に近距離無線通信による通知により腕時計型電子機器２０において現在電話着信中である旨を示す鳴動等がなされるとともに、発信者の情報、たとえば、発信者の電話番号、発信者名等が通知され、その内容が表示される。したがってユーザは着信中の事実及び着信情報を確実に取得できる。
【００７４】
第３の例は腕時計型電子機器２０の代わりにパーソナルコンピュータとの間が近距離無線通信で接続されている例である。すなわちユーザは会社にて、携帯電話機１０を鞄の中に入れたまま作業している際、何らかの理由により、一時的に携帯電話機とパーソナルコンピュータとの間の近距離無線通信が瞬断したときを想定する。そのような場合、携帯電話機１０に電話着信があると、当該近距離無線通信が復旧後にパーソナルコンピュータから近距離無線通信による通知により現在電話着信中である旨を示す鳴動が発生され、発信者の情報、たとえば、発信者の電話番号、発信者名等が表示される。したがってユーザは着信中の事実及び着信情報を確実に取得できる。
【００７５】
第４の例ではユーザは屋外にて、携帯電話機１０を鞄の中に入れたまま歩いている際、何らかの理由により、一時的に腕時計型電子機器２０との近距離無線通信が瞬断した場合を想定する。そのような場合に電話着信があると、近距離無線通信が復旧後に腕時計型電子機器２０からの近距離無線通信による通知により現在電話着信中である旨を示す鳴動が発生され、発信者の情報、たとえば、発信者の電話番号、発信者名、着信時刻等が表示される。その結果ユーザは確実に当該着信中の旨の事実及び着信情報を取得し得る。
【００７６】
このように本発明の実施例によれば何らかに原因（すなわち上記自動切断あるいは手動切断の場合）で携帯電話機１０と他の電子機器、すなわち腕時計型電子機器２０、パーソナルコンピュータ等との間の近距離無線通信が切断された場合であっても、その間の携帯電話機１０に対する着信の情報が携帯電話機１０において保持される。そして一旦切断された近距離無線通信が復旧した際、前記保持された着信の情報が自動的に当該他の電子機器に対し送信される。したがってユーザは携帯電話機１０を手に取ることなく、近距離無線通信の切断中の着信に係る情報を得ることができる。その結果ユーザは近距離無線通信の状況、すなわち何らかの原因で当該近距離無線通信が切断されるような状況に対し何ら注意を払うことなく、携帯電話機１０の着信の情報を漏れなく確実にかつタイムリーに得ることが可能となる。
【００７７】
本発明は以下の各付記に記載の構成をとり得る。
（付記１）
通信網を介して通信を行う情報端末装置であって、
電子機器との間で近距離無線通信を実施するための近距離無線通信手段と、
電子機器との前記近距離無線通信の切断時、前記通信網を介した通信に関する情報を保存する保存手段と、
電子機器との前記近距離無線通信の復旧の際、前記通信網を介した通信に関する情報が前記保存手段によって保存されていた場合には、当該通信網を介した通信に関する情報を前記近距離無線通信手段によって前記電子機器に送信する制御手段とよりなる情報端末装置。
（付記２）
前記情報端末装置は携帯電話機よりなり、
前記通信網を介した通信は公衆通信網を介した電話通信とされ、
前記通信網を介した通信に関する情報は、電話着信情報とされてなる付記１に記載の情報端末装置。
（付記３）
前記制御手段は、電子機器との通信の復旧の際に前記通信網を介した通信が続行中であった場合、その旨と、前記保存手段によって保存された当該通信網を介した通信に関する情報を前記近距離無線通信手段によって前記電子機器に送信する構成とされてなる付記１に記載の情報端末装置。
（付記４）
前記情報端末装置は携帯電話機よりなり、
前記通信網を介した通信は公衆通信網を介した電話通信とされ、
前記通信網を介した通信に関する情報は、発信者電話番号及び着信時刻を含む構成とされてなる付記３に記載の情報端末装置。
（付記５）
前記電子機器は、ユーザの身体に装着する電子機器よりなる付記１または３に記載の情報端末装置。
（付記６）
前記電子機器は、パーソナルコンピュータよりなる付記１または３に記載の情報端末装置。
（付記７）
通信網を介して通信を行うとともに電子機器との間で近距離無線通信を実施する機能を有する情報端末装置の制御方法であって、
電子機器との前記近距離無線通信の切断時、前記通信網を介した通信に関する情報を保存する保存段階と、
電子機器との前記近距離無線通信の復旧の際、前記通信網を介した通信に関する情報が前記保存段階にて保存されていた場合には、当該通信網を介した通信に関する情報を前記近距離無線通信によって前記電子機器に送信する制御段階とよりなる情報端末装置の制御方法。
（付記８）
前記情報端末装置は携帯電話機よりなり、
前記通信網を介した通信は公衆通信網を介した電話通信とされ、
前記通信網を介した通信に関する情報は、電話着信情報とされてなる付記７に記載の情報端末装置の制御方法。
（付記９）
前記制御段階では、電子機器との前記近距離無線通信の復旧の際に前記通信網を介した通信が続行中であった場合、その旨と、前記保存段階にて保存された当該通信網を介した通信に関する情報を前記近距離無線通信によって前記電子機器に送信する構成とされてなる付記７に記載の情報端末装置の制御方法。
（付記１０）
前記情報端末装置は携帯電話機よりなり、
前記通信網を介した通信は公衆通信網を介した電話通信とされ、
前記通信網を介した通信に関する情報は、発信者電話番号及び着信時刻を含む構成とされてなる付記９に記載の情報端末装置の制御方法。
（付記１１）
前記電子機器は、ユーザの身体に装着する電子機器よりなる付記７または９に記載の情報端末装置の制御方法。
（付記１２）
前記電子機器は、パーソナルコンピュータよりなる付記７または９に記載の情報端末装置の制御方法。
（付記１３）
通信網を介して通信を行うとともに電子機器との間で近距離無線通信を実施する機能を有する情報端末装置の制御方法をコンピュータに実行させるためのプログラムであって、
電子機器との前記近距離無線通信の切断時、前記通信網を介した通信に関する情報を保存する保存段階と、
電子機器との前記近距離無線通信の復旧の際、前記通信網を介した通信に関する情報が前記保存段階にて保存されていた場合には、当該通信網を介した通信に関する情報を前記近距離無線通信によって前記電子機器に送信する制御段階とをコンピュータに実行させるための命令よりなるプログラム。
（付記１４）
前記情報端末装置は携帯電話機よりなり、
前記通信網を介した通信は公衆通信網を介した電話通信とされ、
前記通信網を介した通信に関する情報は、電話着信情報とされてなる付記１３に記載のプログラム。
（付記１５）
前記制御段階では、電子機器との前記近距離無線通信の復旧の際に前記通信網を介した通信が続行中であった場合、その旨と、前記保存段階にて保存された当該通信網を介した通信に関する情報を前記近距離無線通信によって前記電子機器に送信する構成とされてなる付記１３に記載のプログラム。
（付記１６）
前記情報端末装置は携帯電話機よりなり、
前記通信網を介した通信は公衆通信網を介した電話通信とされ、
前記通信網を介した通信に関する情報は、発信者電話番号及び着信時刻を含む構成とされてなる付記１５に記載のプログラム。
【図面の簡単な説明】
【００７８】
【図１】本発明の一実施例による携帯電話機の構成を説明するためのブロック図である。
【図２】本発明の第１実施例による携帯電話機の動作を説明するためのフローチャート（その１）である。
【図３】本発明の第１実施例による携帯電話機の動作を説明するためのフローチャート（その２）である。
【図４】本発明の第２実施例による携帯電話機の動作を説明するためのフローチャート（その１）である。
【図５】本発明の第２実施例による携帯電話機の動作を説明するためのフローチャート（その２）である。
【図６】本発明の第２実施例による携帯電話機の動作を説明するためのフローチャート（その３）である。
【符号の説明】
【００７９】
１０  携帯電話機
１１  公衆網通信部
１２  近距離無線通信部
１３  制御部
１４  データベース
２０  腕時計型電子機器
【図１】
0004731373.tif 000002
【図２】
0004731373.tif 000003
【図３】
0004731373.tif 000004
【図４】
0004731373.tif 000005
【図５】
0004731373.tif 000006
【図６】
0004731373.tif 000007